(57)【要約】【課題】ユーザーが現在視聴している番組の再放送を気軽に検索することが可能なテレビジョン受像機の提供を目的とする。【解決手段】番組を識別するＩＤデーターが多重された放送信号を取得可能なテレビジョン受像機において、現在放送中の番組における前記ＩＤデーターを取得するＩＤ取得手段と、前記取得されたＩＤデーターをもとに、電子番組表から同一ネットワーク上の前記番組の再放送番組を検索する番組検索手段と、前記検索された番組を画面上に表示させる検索結果表示手段と、を有する構成としてある。【選択図】図５
2011124792.tif 000002
【特許請求の範囲】
【請求項１】
番組を識別するＩＤデーターが多重された放送信号を取得可能なテレビジョン受像機において、
現在放送中の番組における前記ＩＤデーターを取得するＩＤ取得手段と、
前記取得されたＩＤデーターをもとに、電子番組表から同一ネットワーク上の前記番組の再放送番組を検索する番組検索手段と、
前記検索された番組を画面上に表示させる検索結果表示手段と、を有することを特徴とするテレビジョン受像機。
【請求項２】
前記検索された再放送番組を録画する録画手段を有することを特徴とする請求項１に記載のテレビジョン受像機。
【請求項３】
前記ＩＤデーターはＥＩＴ情報のシリーズ記述子であることを特徴とする請求項１又は請求項２のいずれかに記載のテレビジョン受像機。
【請求項４】
前記ＩＤデーターはＥＩＴ情報のシリーズ記述子であって、
前記検索された再放送番組を録画する録画手段を有し、
前記番組検索手段は、同一チャンネル上で前記再放送番組を検索し、再放送番組が検索されない場合は、他のチャンネルで前記再放送番組を検索することを特徴とする請求項１に記載のテレビジョン受像機。
【発明の詳細な説明】
【技術分野】
【０００１】
本発明は、テレビジョン受像機に関し、特に、番組を特定するためのＩＤデーターが多重された放送信号を受信可能なテレビジョン受像機に関する。
【背景技術】
【０００２】
近年、テレビジョン放送において、一度放送した番組を期間をおいて再度放送する（いわゆる再放送）が行われている。例えば、ある時間帯に放送した番組を一ヵ月後の所定時間に放送することで、番組を視聴しなかったユーザーが再度この番組を視聴することが可能となる。
【０００３】
上記した再放送番組はユーザーの視聴以外にも、例えば番組の録画を失敗した場合に、再放送番組を用いて再度録画を行うことで上記失敗を補間する場合にも用いられている（例えば、特許文献１−５参照。）。
【先行技術文献】
【特許文献】
【０００４】
【特許文献１】特開２００７−２１５０５９号公報
【特許文献２】特開２００７−１０４４２０号公報
【特許文献３】特開２００８−１０４００６号公報
【特許文献４】特開２００８−２３６２３６号公報
【特許文献５】特開２００８−２７１１０４号公報
【発明の概要】
【発明が解決しようとする課題】
【０００５】
ユーザーがテレビジョン受像機により番組を視聴している際、この番組を再度視聴したいと考える場合がある。例えば、たまたま視聴した番組が放送途中であった場合に、ユーザーがこの番組を初めから視聴したいと考えた場合、ユーザーは番組開始時刻やタイトル名といった番組を特定するための情報を持ち合わせていないため、番組表等を参照して現在視聴中の番組の情報を取得した後、再放送が開始されるか否かを検索する必要があった。
【０００６】
本発明は、上記課題にかんがみてなされたもので、ユーザーが現在視聴している番組の再放送を気軽に検索することが可能なテレビジョン受像機の提供を目的とする。
【課題を解決するための手段】
【０００７】
上記課題を解決するために、本発明では、番組を識別するＩＤデーターが多重された放送信号を取得可能なテレビジョン受像機において、現在放送中の番組における前記ＩＤデーターを取得するＩＤ取得手段と、前記取得されたＩＤデーターをもとに、電子番組表から同一ネットワーク上の前記番組の再放送番組を検索する番組検索手段と、前記検索された番組を画面上に表示させる検索結果表示手段と、を有する構成としてある。
【０００８】
上記のように構成された発明では、ユーザーが任意の番組を視聴している状況で、この番組を再度、視聴したいと考えた場合、リモコン装置等により所定の入力を行うとＩＤ取得手段が現在放送中の番組におけるＩＤデーターを取得する。このＩＤデーターは視聴中の番組を特定するものであり、番組検索手段は取得されたＩＤデーターをもとに電子番組表から同一ネットワーク上の前記番組の再放送番組を検索する。ここで、同一ネットワークとは、デジタル放送や、ＢＳ放送、更にはＣＳ放送といった、同一形態の放送信号により送信及び受信が行われるネットワークを意味し、例えば、テレビジョン放送の送信側と、受信側（アンテナ、テレビジョン受像機）を意味している。その後、検索された再放送番組の情報は、検索結果表示手段により画面に表示され、ユーザーに検索結果を表示する。
【０００９】
そのため、ユーザーが現在視聴している番組の再放送を視聴したいと考えた場合などにおいて、視聴する番組を特定するための情報（番組名、放送時間等）をユーザー側で調べることなく再放送番組の検索を行なうことが可能となるため、ユーザーが見たい番組の再放送を負荷なく検索することが可能なテレビジョン受像機を提供することができる。
【００１０】
また、番組検索手段による検索結果は、検索結果表示手段による検索結果の表示に用いられるのみならず、様々な用途に応用することができる。そのため、本発明は、前記検索された再放送番組を録画する録画手段を有する構成としてもよい。
上記のように構成された発明では、検索結果をもとに録画手段により再放送番組を録画させることが可能となり、ユーザーが検索した再放送番組を確実に視聴することが可能となる。
【００１１】
さらに、再放送番組の検索に利用されるＩＤデーターとしては、新たに設計したものに限らず、既存のデーターを用いるものであってもよい。そのため、前記ＩＤデーターはＥＩＴ情報のシリーズ記述子である構成としてもよい。
上記のように構成された発明では、デジタル放送において番組データーに多重されて送信されるＥＩＴ情報のシリーズ記述子を用いることで、既存のＩＤデーターを流用して本発明を実現することができ、設計を容易にすることができる。
【００１２】
そして、本発明の他の構成として、前記ＩＤデーターはＥＩＴ情報のシリーズ記述子であって、前記検索された再放送番組を録画する録画手段を有し、前記番組検索手段は、同一チャンネル上で前記再放送番組を検索し、再放送番組が検索されない場合は、他のチャンネルで前記再放送番組を検索する構成としてもよい。
【発明の効果】
【００１３】
以上説明したように本発明によれば、ユーザーが見たい番組の再放送を負荷なく検索することができる。
また請求項２にかかる発明によれば、ユーザーが検索した再放送番組を確実に視聴することができる。
そして請求項３にかかる発明によれば、テレビジョン受像機の設計を容易にすることができる。
【図面の簡単な説明】
【００１４】
【図１】第１の実施形態にかかるテレビジョン受像機の構成を示すブロック図である。
【図２】電子番組表を説明するための図である。
【図３】ＯＳＤ回路９７により出力される再放送番組の検索にかかる設定画面を説明する図である。
【図４】テレビジョン受像機９０により実行される再放送番組の検索処理を説明するためのフローチャートである。
【図５】ステップＳ３により実行される再放送番組の検索処理を説明するフローチャートである。
【図６】検索処理の間に、ディスプレイ９５に表示される検索画面を示す図である。
【図７】図６のステップＳ４においてディスプレイ９５に表示される検索結果を示す図である。
【図８】ディスプレイ９５に表示される録画設定画面を示す図である。
【発明を実施するための形態】
【００１５】
以下、図を参照しつつ下記の順序に従って本発明の実施形態を説明する。
（１）第１の実施形態：
（２）その他の実施形態：
【００１６】
（１）第１の実施形態：
以下、図を参照して、この発明に係るテレビジョン受像機を具体化した第１の実施形態について説明する。図１は、第１の実施形態にかかるテレビジョン受像機の構成を示すブロック図である。なお、第１の実施形態では、テレビジョン受像機９０は、その内部に録画再生部（録画手段）を備えて構成されている。
【００１７】
テレビジョン受像機９０は、リモコン装置７０を介した操作を受け付けて番組を放送する他、メニュー画面上でリモコン装置７０等を用いた操作入力を受け付けることで、録画再生部８０に録画予約を実行させることができる。さらに、テレビジョン受像機９０は、ユーザーが番組を視聴している場合に、この番組の再放送が行われるか否かを検索し、検索結果をもとに再放送番組の日時の表示、又は録画予約を実行させることができる。以下、本実施形態にかかるテレビジョン受像機９０の構成を説明する。
【００１８】
＝＝＝テレビジョン受像機の構成＝＝＝
テレビジョン受像機９０は以下の要部を備えて構成されている。符号９１は、外部メモリーであり、後述するチャンネルマップやＩＤデーターを記憶する。符号９２は、制御部であり、テレビジョン受像機９０の駆動を制御する。符号９３は、フロントエンド部であり、図示しないアンテナが受信した放送電波からリモコン装置７０により選局されたチャンネルのデジタルデーターを抽出する。符号９４は、バックエンド部であり、取得されたデジタルデーターから映像信号及び音声信号を復号化し、出力する。符号９５は、ディスプレイであり、復号された映像信号をもとに映像を出力する。符号９６は、スピーカーであり、復号された音声信号をもとに音声を出力する。符号９７は、ＯＳＤ回路であり、バックエンド部９４から出力される映像信号にＯＳＤ画像を合成する。符号９８は、リモコン受信部であり、リモコン装置７０から出力される赤外線信号を受信し、制御部９２に制御コマンドを出力する。符号８０は、録画再生部であり、制御部９２からの制御信号に応じて番組の録画／再生を行う。
【００１９】
制御部９２は、リモコン受信部９８を介して入力される制御コマンド、及び所定のプログラムを実行することにより、テレビジョン受像機９０の駆動を制御する。なお、制御部９２は、図示しないＣＰＵや、ＣＰＵを駆動させるためのプログラムやデーターが記憶されたＲＯＭ、及びＣＰＵのワークエリアとして作用するＲＡＭを備えて構成されている。なお、制御部９２とテレビジョン受像機９０とを構成する各部はバスを介して接続されており、このバスを介して制御が行われる。
【００２０】
フロントエンド部９３は、各種アンテナが受信した放送電波からリモコン装置７０により選局されたチャンネルの変調信号を抽出する選局部や、選局された変調信号からデジタルデーターを抽出する伝送路復号部を備えて構成されている。本実施形態では、フロントエンド部９３は、デジタル放送を受信する構成として説明を行う。
【００２１】
バックエンド部９４は、取得されたデジタルデーターのスクランブルを解除するデスクランブル部９４ａや、スクランブルを解除されたデジタルデーターからＭＰＥＧ形式の映像・音声信号、及びＴＳ情報を取り出すＭＰＥＧ多重分離部９４ｂ、ＴＳ情報の中のＳＩ情報を処理する基本デコーダー部９４ｃ、更には、映像・音声信号を復号する映像・音声復号部（図示しない）を備えて構成されている。ここで、ＳＩ情報には、番組情報を特定するためのＥＩＴ情報が含まれており、基本データデコーダー部９４ｃは、ＥＩＴ情報を用いて電子番組表を作成する他、このＥＩＴ情報に含まれるシリーズ記述子を用いて再放送番組の検索を行なう。
【００２２】
シリーズ記述子とは、所定のアプリケーションにより番組を関連付けて扱うためのデーターであり、本実施形態ではこのシリーズ記述子を所定番組とこの番組の再放送番組とを関連付けるＩＤデーターとして使用する。ここで、再放送番組の検索に用いるシリーズ記述子として、本実施形態では、「series_id」、「episode_number」、「repeat_label」を使用する。「series_id」は同一のメディアを特定するものであり、同一の番組であれば再放送された番組であっても同じ値を有する。また、「episode_number」は同一番組がシリーズで放送されている場合に各放送回を特定するための値であり、番組の放送回数ごとに異なった値となる。そして、「repeat_label」はある番組が期間を別にして放送される場合にその放送回数（再放送の回数）を特定するための値であり、再放送の回数毎に異なった値となる。なお、シリーズ記述子はある番組が放送されてから所定期間（例えば、１００日）経過後に変更されるデーターであるものの、本実施形態では電子番組表に記録されたある期間（例えば１週間分）の放送予定番組の中から検索を行なう構成であるため、問題は生じない。
【００２３】
録画再生部８０は、例えば、ＢＤ（ブルーレイディスク）やＤＶＤ等のメディア、又はＨＤＤに記憶されたデーターをピックアップ部により読取り、インターフェースを通じてバックエンド部９４に送信する。また、録画再生部８０がバックエンド部９４から出力されるデーターをインターフェースを通じて受信した場合は、取得したデーターをピックアップ部を用いてメディア又はＨＤＤに記憶させる。なお、録画再生部８０は、図示しないシステムコントローラーを内部に備え、制御部９２からの制御コマンドによりその駆動を制御する。
【００２４】
外部メモリー９１は、番組データーに付加されて送信されたＳＩ情報、及びこのＳＩ情報により作成された電子番組表を記憶している。図２は、電子番組表を説明するための図である。図２に示す電子番組表では、例えば、横軸を各チャンネル軸とし、縦軸を時間軸として、一週間分の放送予定の番組が特定できるよう記録されている。また、この番組表に記録される各番組は上記したシリーズ記述子が対応付けて記録されている。
【００２５】
ＯＳＤ回路９７は、制御部９２から出力される映像データーにＯＳＤ画像を合成して出力させる。ＯＳＤ回路９７が出力させるＯＳＤ画像としては、テレビジョン受像機９０の各種設定を選択するためのＧＵＩ（Graphical User Interface）であるメニュー画面、及び再放送番組の検索にかかる各種画面が含まれる。なお、ＯＳＤ回路９７が出力するＯＳＤ画像は予め内部メモリーに記憶されたものであり制御コマンドに応じて出力されるＯＳＤ画像が決定される。
【００２６】
リモコン装置７０は、チャンネルを選局するためのチャンネルキー７１の他、テレビジョン受像機９０に現在視聴中の番組の再放送番組を検索させるための制御コマンドを送信する再放送番組検索キー７２や、検索結果として表示された再放送予定の番組をテレビジョン受像機９０に録画予約させる制御コマンドを送信する録画予約キー７３を備えて構成されている。
【００２７】
上記構成により、テレビジョン受像機９０は、アンテナにより受信されたテレビジョン放送をもとに番組を放送する。また、ユーザーが番組を視聴している場合にリモコン装置７０の再放送番組検索キー７２を操作すると、テレビジョン受像機９０は現在放送中の番組が再放送されるか否かを電子番組表から検索する。このとき、再放送番組の検索はユーザーがリモコン装置７０の再放送番組検索キーを操作するのみで実行することができ、番組を特定するための、番組名や、識別データーの入力を必要としない。そのため、ユーザーが見たい番組の再放送を負荷なく検索することができる。以下、テレビジョン受像機９０における再放送番組の検索処理を説明する。
【００２８】
＝＝＝番組視聴中の再放送番組の検索処理＝＝＝
図３は、ＯＳＤ回路９７により出力される再放送番組の検索にかかる設定画面を説明する図である。本実施形態にかかる再放送番組の検索はユーザーの設定によって検索実行の有無を切換えることができる。即ち、ユーザーがリモコン装置７０を操作して、図３に示す設定画面を表示させ、この設定画面にて「自動検索」を「入」に設定した場合は、番組視聴中にリモコン装置７０の再放送番組検索キー７２を操作するだけで、テレビジョン受像機９０に対して現在視聴中の番組にかかる再放送番組を検索させることができる。一方、ユーザーが「自動選択」を選択しない場合は、自動検索は実行されない。また、この設定画面にて、ユーザーは、検索範囲を同一ネットワーク内のみか、他のネットワークを含めるかを選択することができる。
【００２９】
図４は、テレビジョン受像機９０により実行される再放送番組の検索処理を説明するためのフローチャートである。図４に示す処理は、ユーザーがテレビジョン受像機９０により所定の番組を視聴している場合に実行される処理である。
【００３０】
ステップＳ１において、ユーザーが任意の番組を視聴している状態で、リモコン装置７０の再放送番組検索キー７２を操作すると、制御部９２は制御コマンドを受信し（ステップＳ２：ＹＥＳ）、現在視聴中の番組の再放送番組を検索を実行する（ステップＳ３）。
【００３１】
図５は、ステップＳ３により実行される再放送番組の検索処理を説明するフローチャートである。また、図６は、検索処理の間に、ディスプレイ９５に表示される検索画面を示す図である。なお、この検索画面は、ユーザーの視聴の邪魔とならないよう画面右下に検索中であることを示すアイコンが表示される。
【００３２】
ステップＳ１１において、制御部９２は現在放送中の番組のシリーズ記述子をＳＩ情報から取得する。即ち、制御部９２は、現在視聴中の番組に対応した「series_id」、「episode_number」、「repeat_label」を外部メモリー９１から取得する。そのため、バックエンド部９４の機能及びステップＳ１１の処理により制御部９２は本発明のＩＤ取得手段を実現する。
【００３３】
ステップＳ１２において、制御部９２は、電子番組表に記録されている、現在視聴されている番組と同一のチャンネルにおける全ての番組に対して検索を行なっていない場合は、ステップＳ１３に進む。
【００３４】
ステップＳ１３において、制御部９２は上記取得されたシリーズ記述子、及び外部メモリー９１に記憶された番組表を参照して、再放送番組の検索を行なう。即ち、制御部９２はステップＳ１１において取得した「series_id」、「episode_number」、「repeat_label」のシリーズ記述子と、電子番組表に記録された各番組が備えるシリーズ記述子とを比較し、再放送番組の検索を行なう。ここで、再放送番組では、「repeat_label」が異なった値となるため、「series_id」及び「episode_number」のみを検索の対象としてもよい。
【００３５】
制御部９２は、各シリーズ記述子が一致する番組を電子番組表から検出した場合は(ステップＳ１４：ＹＥＳ）、ステップＳ１５において、検出した番組を現在視聴中の番組にかかる再放送番組であると判断する。
【００３６】
ステップＳ１６において、制御部９２は、電子番組表に記憶された他の番組に対しても検索を行ない、全ての番組を範囲として再放送番組の検索がされた場合は（ステップＳ１２：ＮＯ）、検索を終了し、図５に示すフローチャートのステップＳ４に戻る。そのため、ステップＳ３の処理により制御部９２は本発明の番組検索手段を実現する。
【００３７】
ステップＳ４では、制御部９２はＯＳＤ回路９７を制御してディスプレイ９５に検索結果を表示させる。図７は、図５のステップＳ４においてディスプレイ９５に表示される検索結果を示す図である。図７に示すように、図中、画面右下には、ステップＳ３により検索された検索結果として、再放送番組が放送される「放送局」、「日時」、「放送時間」が表示される。即ち、現在放送される番組の視聴を邪魔しないように、画面右下に検索結果として「ＡＡＡ放送局、５／２６（火）１５：００−１５：３０」、「ＡＡＡ放送局、５／２７（火）５：００−５：３０」が表示される。そのため、ユーザーは番組の視聴を邪魔されることなく検索結果を参照することができる。なお、再放送番組が検出されない場合は、検索結果として、例えば「検索されませんでした」といった文字列が表示される。以上、ステップＳ４の処理により制御部９２は本発明の検索結果表示手段を実現する。
【００３８】
この状態で、ユーザーがリモコン装置７０の録画予約キー７３を操作すると（ステップＳ５：ＹＥＳ）、制御部９２は、録画再生部８０に対してステップＳ３で検索された再放送番組の録画予約を実行させる（ステップＳ６）。図８は、ディスプレイ９５に表示される録画設定画面を示す図である。ユーザーは録画設定画面に表示された各アイコンを操作して、再放送予定番組の録画予約を行うことが可能となる。
【００３９】
以上説明したように、本発明にかかるテレビジョン受像機９０では、ユーザーが任意の番組を視聴している状況で、この番組を再度、視聴したいと考えた場合などに、リモコン装置７０の再放送番組検索キー７２を操作することにより、現在放送中の番組におけるシリーズ記述子を取得し、このシリーズ記述子をもとに電子番組表から同一ネットワーク上の再放送番組を検索する。そのため、ユーザーは再放送番組の検索において、番組名称の入力や、その他、番組を特定するための入力を行う必要がなく、ユーザーの操作負荷を軽減しつつ再放送番組を検索することができる。
【００４０】
（３）その他の実施形態：
本発明は様々な変形例が存在する。
テレビジョン受像機９０は、その内部に録画再生部８０を備える意外にも、メディアプレーヤー等の録画再生装置と接続することで、この録画再生装置に対して録画処理を実行させる構成としてもよい。
【００４１】
本発明にかかるシリーズ記述子の構成は一例であり、これに限定されない。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４３】
７０…リモコン装置、７１…チャンネルキー、７２…再放送番組検索キー、７３…録画予約キー、８０…録画再生部、９０…テレビジョン受像機、９１…外部メモリー、９２…制御部、９３…フロントエンド部、９４…バックエンド部、９４ａ…デスクランブル部、９４ｂ…ＭＰＥＧ多重分離部、９４ｃ…基本デコーダー部、９５…ディスプレイ、９６…スピーカー、９７…ＯＳＤ回路、９８…リモコン受信部
【図１】
2011124792.tif 000003
【図２】
2011124792.tif 000004
【図３】
2011124792.tif 000005
【図４】
2011124792.tif 000006
【図５】
2011124792.tif 000007
【図６】
2011124792.tif 000008
【図７】
2011124792.tif 000009
【図８】
2011124792.tif 000010